(57)【要約】【課題】本発明は、組み立てが容易で、且つ維持管理性に優れた複数ウインチの一体化構造を提供することを目的とする。【解決手段】巻上ドラム２１ａ、２２ａの回動軸に対して直交する方向に一列に配置された巻上ウインチ２１、２２と、巻上ウインチ２１、２２を挟むように当該巻上ウインチの両側に配置され、当該巻上ウインチを支持する２枚のサイドプレート２８とを備え、サイドプレート２８は、いずれも巻上ドラム２１ａ、２２ａの支持部２８ａｓ、２８ｂｓ間の略中央部において分割できるように形成されている複数ウインチの一体化構造。【選択図】図２
2009179443.tif 000002
【特許請求の範囲】
【請求項１】
ドラムの回動軸に対して直交する方向に一列に配置された複数のウインチと、
前記複数のウインチを挟むように当該ウインチの両側に配置され、当該ウインチを支持する２枚のサイドプレートと、を備え、
前記サイドプレートは、いずれも前記ウインチの支持部間において分割できるように形成されていることを特徴とする、複数ウインチの一体化構造。
【請求項２】
前記サイドプレートは、いずれも前記ウインチの支持部間においてピンにて連結されていることを特徴とする、請求項１に記載の複数ウインチの一体化構造。
【請求項３】
前記サイドプレートの分割部を下方から支持するステイ部材を有していることを特徴とする、請求項１又は請求項２に記載の複数ウインチの一体化構造。
【発明の詳細な説明】
【技術分野】
【０００１】
本発明は、クレーンに搭載する複数ウインチの一体化構造に関する。
【背景技術】
【０００２】
特許文献１には、クレーンにおけるウインチドラム取付構造に関する技術が記載され、２個のウインチドラムをまとめて１組のウインチフレームに取り付けて、これを旋回フレーム上に固定したもの（特許文献１の図４参照）が記載されている。
【０００３】
また、特許文献２には、クレーンにおけるロープ巻取用ウインチドラムの取付構造に関する技術が記載され、この特許文献２にも、２個のウインチドラムをまとめて１組のウインチプレートに取り付けて、これを旋回フレーム上に固定したもの（特許文献２の図１参照）が記載されている。そして、２個以上のウインチドラムとこれを支持する両側のウインチプレートとを予めアッセンブリー化し、これを旋回フレーム上に取付うるようにしたことで、ウインチドラムの取付が極めて容易化された、と称している。
【０００４】
【特許文献１】特開２００２−３１６５号公報
【特許文献２】特開２００２−３１６９号公報
【発明の開示】
【発明が解決しようとする課題】
【０００５】
しかしながら、特許文献１、２に記載されたように、複数のウインチをアッセンブリー化すると、例えばいずれか１つのウインチが故障したり、いずれか１つのウインチの部品交換が必要となったりした場合、複数のウインチに共通のウインチフレーム（ウインチプレート）を取り外し、故障したウインチの修理やウインチの部品交換などをした後、再度、全てのウインチを組み立て直さなければならない。すなわち、特許文献１、２に記載されたような、２個のウインチドラムを単にまとめて１組のウインチプレートに取り付けたものは、１個のウインチを１組のウインチフレームに取り付けた単体ウインチセットに比して、維持管理性が非常に劣るという問題がある。また、ウインチフレームの質量は重いため、複数のウインチを１組のウインチフレームで一体組立するのに要する時間は、単体ウインチセットの組立時間に比して非常に長くかかり、ウインチを組み立てる組立性においても劣ることとなる。
一方、クレーンを輸送する際には、クレーンをそれぞれの装置（部品）に分解した後、輸送トレーラに搭載して輸送することになる。したがって、クレーンを輸送するたびに、アッセンブリー化したウインチの分解、組立を繰り返さなければならず、作業者の労力が多大であるという実情がある。
【０００６】
本発明は、上記実情に鑑みてなされたものであり、その目的は、組み立てが容易で、且つ維持管理性に優れた複数ウインチの一体化構造を提供することにある。
【課題を解決するための手段及び効果】
【０００７】
本発明は、クレーンに搭載する複数ウインチの一体化構造に関する。そして、本発明に係る複数ウインチの一体化構造は、上記目的を達成するために以下のようないくつかの特徴を有している。すなわち、本発明の複数ウインチの一体化構造は、以下の特徴を単独で、若しくは、適宜組み合わせて備えている。
【０００８】
上記目的を達成するための本発明に係る複数ウインチの一体化構造における第１の特徴は、ドラムの回動軸に対して直交する方向に一列に配置された複数のウインチと、前記複数のウインチを挟むように当該ウインチの両側に配置され、当該ウインチを支持する２枚のサイドプレートと、を備え、前記サイドプレートは、いずれも前記ウインチの支持部間において分割できるように形成されていることである。
【０００９】
この構成によると、２枚のサイドプレートを、いずれもウインチを支持する支持部間で分割できる。これにより、例えば複数のウインチのうちのいずれか１つのウインチが故障したり、いずれか１つのウインチの部品交換が必要となったりした場合には、その１つのウインチのみを取り外して、ウインチの修理やウインチの部品交換を行うことができる。すなわち、１個のウインチを１組のサイドプレートに取り付けた単体ウインチセットの維持管理と同様の労力で、アッセンブリー化したウインチの維持管理を行える。また、分割により質量が低減した１組の分割サイドプレートに１個のウインチを取り付け、その後、分割サイドプレート同士を相互に連結することにより複数のウインチをアッセンブリー化することで、ウインチを組み立てる組立性も向上する。
【００１０】
また、本発明に係る複数ウインチの一体化構造における第２の特徴は、前記サイドプレートは、いずれも前記ウインチの支持部間においてピンにて連結されていることである。
【００１１】
この構成によると、分割サイドプレートの連結、切り離しがし易く、すなわち、作業効率が向上し、組立性、維持管理性がさらに向上する。
【００１２】
また、本発明に係る複数ウインチの一体化構造における第３の特徴は、前記サイドプレートの分割部を下方から支持するステイ部材を有していることである。
【００１３】
この構成によると、サイドプレートを分割して取り外す際、取り外さない分割サイドプレートを下方から容易に支持することができ、作業効率がさらに向上する。
【発明を実施するための最良の形態】
【００１４】
以下、本発明を実施するための最良の形態について図面を参照しつつ説明する。
【００１５】
図１は、本発明の一実施形態に係る複数ウインチセット８を備える移動式クローラクレーン１の全体概略図である。
【００１６】
図１に示すように、移動式クローラクレーン１は、クローラ５と、クローラ５上に旋回軸受を介して縦軸まわりに旋回自在に搭載された旋回フレーム２と、旋回フレーム２にブームフットピンを中心として起伏自在に取り付けられたブーム３と、ブーム３の先端部から吊り下げられた主フック４と、ブーム３の後方の旋回フレーム２上に取り付けられた複数ウインチセット８と、複数ウインチセット８の後方の旋回フレーム２上に取り付けられた単体ウインチセット９と、旋回フレーム２上に取り付けられたガントリ１０と、を備えている。
【００１７】
そして、移動式クローラクレーン１は、複数ウインチセット８のうち前方側に配置された巻上ウインチ２１（図２参照）で巻上ワイヤロープ６の巻上げ、繰り出しを行い、主フック４を昇降させる。また、単体ウインチセット９でブーム起伏ワイヤロープ７の巻上げ、繰り出しを行い、ブーム３を起伏させる。尚、ブーム３の先端部から補助フック（不図示）を吊り下げる場合もある。この場合、複数ウインチセット８のうち後方側に配置された巻上ウインチ２２（図２参照）で巻上ワイヤロープの巻上げ、繰り出しを行い、補助フックを昇降させる。
【００１８】
尚、移動式クローラクレーン１を輸送する際には、移動式クローラクレーン１を分解して、それぞれの装置（部品）を輸送トレーラに搭載して輸送する。旋回フレーム２から、ブーム３、複数ウインチセット８、単体ウインチセット９などを取り外し、ブーム３を複数の部品に分割し、また、旋回フレーム２とクローラ５とは分離して、できるだけ各々の容量および質量を減らして数台の輸送トレーラに搭載効率よく搭載して輸送することになる。複数ウインチセット８、単体ウインチセット９などのウインチセットは、アッセンブリー単位に分解されて輸送される。
【００１９】
図２は、図１に示す複数ウインチセット８の側面図である。図３は、図１に示す複数ウインチセットの平面図である。また図４は、図３のＢ部拡大図である。
【００２０】
図２および図３に示すように、複数ウインチセット８は、主フック４を昇降させるための巻上ウインチ２１と、巻上ウインチ２１の後方に配置され補助フックを昇降させるための巻上ウインチ２２と、巻上ウインチ２１および巻上ウインチ２２を挟むように当該巻上ウインチ２１、２２の両側に配置され、当該巻上ウインチ２１、２２を支持する２枚のサイドプレート２８とを備えている。
【００２１】
巻上ウインチ２１は、巻上ワイヤロープ６が巻きつく巻上ドラム２１ａと、巻上ドラム２１ａの端部に取り付けられ巻上ドラム２１ａを回動させる減速機付モータ２１ｂとを有している。同様に、巻上ウインチ２２は、巻上ワイヤロープが巻きつく巻上ドラム２２ａと、巻上ドラム２２ａの端部に取り付けられ巻上ドラム２２ａを回動させる減速機付モータ２２ｂとを有している。そして、巻上ウインチ２１および巻上ウインチ２２は、巻上ドラム２１ａ、２２ａの回動軸に対して直交する方向に一列に配置されている。
【００２２】
また、２枚のサイドプレート２８は、いずれも略中央部において分割できる構造となっており、巻上ウインチ２１の両側に配置され当該巻上ウインチ２１を支持する一対の分割サイドプレート２８ａと、巻上ウインチ２２の両側に配置され当該巻上ウインチ２２を支持する一対の分割サイドプレート２８ｂとから構成される。そして、分割サイドプレート２８ａと分割サイドプレート２８ｂとは相互に２本のピン２４で分割可能に連結されている。図４は、この連結部の拡大図であり、図４に示したように、分割サイドプレート２８ｂの端部には、この端部を挟むように２枚のプレート２８ｂｐが取り付けられている。そして、分割サイドプレート２８ａと分割サイドプレート２８ｂとは、分割サイドプレート２８ａの端部を、２枚のプレート２８ｂｐ間に挿入し、その後、相互にピン２４で連結されている。このように、複数ウインチセット８は、２つの巻上ウインチ２１、２２をピン２４にて一体化してなる構造となっている。
【００２３】
この構造によると、２枚のサイドプレート２８を、いずれも、巻上ウインチ２１、２２を支持する巻上ウインチ２１の支持部２８ａｓおよび巻上ウインチ２２の支持部２８ｂｓとの間で分割できる。これにより、巻上ウインチ２１、２２のうちのいずれか１つの巻上ウインチが故障したり、いずれか１つの巻上ウインチの部品交換が必要となったりした場合には、その１つの巻上ウインチのみを取り外して、巻上ウインチの修理や部品交換を行うことができる。すなわち、１個の巻上ウインチを１組のサイドプレートに取り付けた単体ウインチセットの維持管理と同様の労力で、アッセンブリー化した巻上ウインチ（複数ウインチセット８）の維持管理を行える。また、分割により質量が低減した１組の分割サイドプレートに１個の巻上ウインチを取り付け、その後、分割サイドプレート同士を相互に連結することにより巻上ウインチ２１、２２をアッセンブリー化することで、輸送した場所において複数ウインチセット８を再度、組み立てる組立性も向上する。尚、本発明に係る複数ウインチの一体化構造でアッセンブリー化できるウインチの個数は、２個に限られることはなく、３個以上の複数のウインチをアッセンブリー化することも可能である。
【００２４】
また、本実施形態においては、円柱状のピン２４を用いて、分割サイドプレート２８ａ、２８ｂを連結する構造としているので、分割サイドプレート２８ａ、２８ｂの連結、切り離しがし易く、すなわち、作業効率が向上し、組立性、維持管理性がさらに向上する。
【００２５】
次に、図２に示したように、旋回フレーム２には、スタンド２３が固設されている。そして、巻上ウインチ２１、２２を一体化した複数ウインチセット８は、スタンド２３のラグ２３ａおよび旋回フレーム２に固設された部材（不図示）に取り付けられたラグ２５に、それぞれピン２６、ピン２７にて連結されることで、旋回フレーム２上に取り付けられている。より詳細には、分割サイドプレート２８ａの先端部がスタンド２３のラグ２３ａにピン２６にて連結され、分割サイドプレート２８ｂの後端部がラグ２５にピン２７にて連結されている。
【００２６】
ここで、分割サイドプレート２８ａとラグ２３ａとの連結部の拡大図を、Ａ部拡大図として図２に示したように、分割サイドプレート２８ａの先端部にはナットが溶接にて取り付けられ、そのナットにボルト２９がねじ込まれている。そして、ボルト２９で、分割サイドプレート２８ａとラグ２３ａとの連結部を上方から押圧している。尚、分割サイドプレート２８ｂとラグ２５との連結部も、同様にボルト３０で上方から押圧している。このように、押圧手段であるボルト２９およびボルト３０で、サイドプレートとラグとの連結部を押圧することにより、ピン２６、２７が挿入される連結部のガタをなくすことができ、主フック４や補助フックを昇降させた際に、巻上ドラム２１ａや巻上ドラム２２ａに巻上ワイヤロープを介して力が作用したとしても複数ウインチセット８が上下動する（ガタつく）ことは防止される。
【００２７】
次に、図５は、サイドプレート２８の分割部を下方から支持するステイ部材３１を示すための複数ウインチセット１０８の側面図である。また図６は、図５のＣ−Ｃ矢視図および図５のＤ矢視図である。図５、６においては、図２、３に示した構成部材と同一の構成部材については同一の符号を付しており、適宜その説明を省略する。
【００２８】
図５に示した複数ウインチセット１０８と、図２等に示した複数ウインチセット８との相違点は、複数ウインチセット１０８が、サイドプレート２８の分割部を下方から支持するステイ部材３１をさらに有している点である。
【００２９】
図５に示すように、ステイ部材３１の一端は、旋回フレーム２に固設された部材に取り付けられたラグ３２にピン３３にて固定され、他端は、サイドプレート２８の分割部を下方から支持しサイドプレート２８にピン２４にて固定されている。図５および図６に示すように、ステイ部材３１は、円柱部材３１ｂと、円柱部材３１ｂを切り込んで円柱部材３１ｂに嵌め込み固定したプレート３１ａと、プレート３１ａに取り付けた板材からなる受け部材３１ｃとからなる。尚、２つのステイ部材３１で、巻上ウインチ２１両側のサイドプレート２８の分割部をいずれも下方から支持している。
【００３０】
この構造によると、巻上ウインチ２１、２２のうちのいずれか１つの巻上ウインチが故障したり、いずれか１つの巻上ウインチの部品交換が必要となったりした場合において、サイドプレート２８を分割して取り外す際、取り外さない分割サイドプレート２８ａを下方から容易に支持することができ、維持管理の作業効率をさらに向上させることができる。尚、ステイ部材３１を用いずに、油圧ジャッキなどを用いて、サイドプレート２８の分割部を下方から支持してやってもよい。
【００３１】
図５においては、巻上ウインチ２２を１組の分割サイドプレート２８ｂとともに取り外す例を示しているが、巻上ウインチ２２を旋回フレーム２上に残し、巻上ウインチ２１を１組の分割サイドプレート２８ａとともに取り外すことも当然、可能である。
【００３２】
次に、図７は、旋回フレーム２への取付用のみに用いる１組の分割サイドプレート２８’ｂを両側に取り付けたウインチセット２０８の側面図である。図５、６と同様、図７においても、図２、３に示した構成部材と同一の構成部材については同一の符号を付しており、適宜その説明を省略する。
【００３３】
図７に示したウインチセット２０８と、図２等に示した複数ウインチセット８との相違点は、ウインチセット２０８が、巻上ウインチ２２を支持できる図２等に示した１組の分割サイドプレート２８ｂの代わりに、巻上ウインチ２２を支持することができない（または、巻上ウインチ２２を取り付けることができない）ウインチセット２０８の旋回フレーム２への取付用のみに用いる１組の分割サイドプレート２８’ｂを有している点である。
【００３４】
補助フックを使用しない場合、すなわち補助フックを昇降させるための巻上ウインチ２２が不要な場合には、巻上ウインチ２２を取り付けずに１組の分割サイドプレート２８’ｂを取り付けてウインチセット２０８を構成することにより、２個の巻上ウインチ２１、２２を取り付けた複数ウインチセット８に比して輸送時の質量を軽減することが可能となり、輸送コストの低減を図ることができる。また、輸送質量が減ることにより、輸送トレーラにウインチセット２０８以外の装置が搭載可能になり得る。
【００３５】
尚、必ずしも、巻上ウインチ２２を支持することができない分割サイドプレート２８’ｂを用いる必要はなく、図２等に示した、巻上ウインチ２２を支持できる分割サイドプレート２８ｂを用いてもよい。
【００３６】
以上、本発明の実施形態について説明したが、本発明は上述の実施の形態に限られるものではなく、特許請求の範囲に記載した限りにおいて様々に変更して実施することができるものである。
【００３７】
例えば、上記実施形態においては、図２に示したように、２枚のサイドプレート２８を、いずれも略中央部において分割できる構造としているが、サイドプレート２８を分割する位置は、このようなサイドプレート２８の略中央部に限られることはなく、巻上ウインチ２１の支持部２８ａｓと巻上ウインチ２２の支持部２８ｂｓとの間の、ピン２４などで連結可能な任意の位置で、サイドプレート２８を分割できる構造であればよい。
【図面の簡単な説明】
【００３８】
【図１】本発明の一実施形態に係る複数ウインチセットを備える移動式クローラクレーンの全体概略図である。
【図２】図１に示す複数ウインチセットの側面図である。
【図３】図１に示す複数ウインチセットの平面図である。
【図４】図３のＢ部拡大図である。
【図５】サイドプレートの分割部を下方から支持するステイ部材を示すための複数ウインチセットの側面図である。
【図６】図５のＣ−Ｃ矢視図および図５のＤ矢視図である。
【図７】旋回フレームへの取付用のみに用いる１組の分割サイドプレートを取り付けたウインチセットの側面図である。
【符号の説明】
【００３９】
１：移動式クローラクレーン
２：旋回フレーム
８：複数ウインチセット
２１、２２：巻上ウインチ
２１ａ、２２ａ：巻上ドラム
２８：サイドプレート
２８ａ、２８ｂ：分割サイドプレート
２８ａｓ、２８ｂｓ：支持部（巻上ウインチの支持部）
２４：ピン
３１：ステイ部材
【図１】
2009179443.tif 000003
【図２】
2009179443.tif 000004
【図３】
2009179443.tif 000005
【図４】
2009179443.tif 000006
【図５】
2009179443.tif 000007
【図６】
2009179443.tif 000008
【図７】
2009179443.tif 000009